(57)【要約】【課題】  １個の油圧ポンプにより全車輪に個別に設けられた各油圧モータを駆動する形式の乗用芝刈機において、傾斜地を下って芝刈作業を行う際に、「全車輪駆動方式」と「前輪駆動方式」との切り替えを自動的に行うことである。【解決手段】  主管路Ｌ0 における１つの駆動ループ回路が形成可能な位置に組み込まれた一個の油圧ポンプＡにより、各車輪ＷＦ，ＷＢに設けられた各油圧モータＭＦ，ＭＢをそれぞれ個別に駆動する形式の全車輪油圧駆動乗用芝刈機において、後輪ＷＢの接地圧が小さくなって後輪ＷＢに滑りが発生する直前の時点、及び後輪ＷＢの接地圧の増大により前記滑りの発生がなくなった時点を基準にして、「全車輪駆動方式」と「前輪駆動方式」とを相互に切替えられるように、油圧回路Ｃ1 内にチェックバルブＶ1 と自動切替バルブＶ2 とリリーフバルブＶ3 とを組み込む。【選択図】        図８−Ｂ
2008221861.tif 000002
【特許請求の範囲】
【請求項１】
主管路に対して車輪数と同数のモータ管路が並列に接続され、各モータ管路には、前輪用と後輪用の各油圧モータが前記主管路において圧油が流れる方向に沿って二分された形態でそれぞれ組み込まれて、前記主管路における１つの駆動ループ管路が形成可能な位置に組み込まれた一個の油圧ポンプにより、各車輪に設けられた各油圧モータをそれぞれ個別に駆動する形式の全車輪油圧駆動乗用芝刈機であって、
前記主管路における車両後進時に油圧ポンプから吐出された圧油が流れる部分であって、しかも前輪用と後輪用の各モータ管路を二分する位置に組み込まれて、後輪側から前輪側に向けての圧油の流れのみを許容するチェックバルブと、
前記主管路における油圧ポンプから吐出された圧油が流れる方向に沿って前輪用及び後輪用の各モータ管路を二分し、しかも前記チェックバルブよりも後輪側の位置に、各モータ管路と並列に接続した切替バルブ管路に組み込まれて、前記チェックバルブを挟んでその両側の部分から取り出された各パイロット圧により開閉する自動切替バルブと、
前記主管路における前記チェックバルブを基準にして後輪側の部分に前記各モータ管路及び切替バルブ管路に対して並列に接続したリリーフバルブ管路に組み込まれるリリーフバルブとを備え、
傾斜地を下って芝刈作業を行う際に、前記チェックバルブにより前輪の保持圧と遮断された後輪の保持圧と、低下した後輪の接地圧との相乗作用により当該後輪が滑りを開始する直前において前記リリーフバルブを開いて、当該後輪の保持圧を開放すると共に、当該開放直後において前記自動切替バルブに作用する前輪側及び後輪側の各パイロット圧の差の増大により当該自動切替バルブが開かれることにより、後輪側において低圧油のアイドルループ回路が形成されて、全車輪駆動方式から前輪駆動方式に自動的に切り替えられるように構成したことを特徴とする全車輪油圧駆動乗用芝刈機。
【請求項２】
車両後進時には、チェックバルブの作用により常に前輪駆動方式であることを特徴とする請求項１に記載の全車輪油圧駆動乗用芝刈機。
【請求項３】
前記主管路における車両前進時に油圧ポンプから吐出された圧油が流れる部分であって、しかも前輪用と後輪用の各モータ管路を二分する位置に組み込まれる第１手動切替バルブと、
前記主管路における前記チェックバルブを基準にして後輪側の部分の圧力をパイロット圧として前記自動切替バルブに対する伝達したり、その遮断を行う第２手動切替バルブと、
を備えていることを特徴とする請求項１又は２に記載の全車輪油圧駆動乗用芝刈機。
【請求項４】
前記第１手動切替バルブは、開通路とチェックバルブとのいずれかが選択される構成であることを特徴とする請求項３に記載の全車輪油圧駆動乗用芝刈機。
【発明の詳細な説明】
【技術分野】
【０００１】
本発明は、１個の油圧ポンプにより全車輪に個別に設けられた各油圧モータを個別に駆動する形式の乗用芝刈機において、傾斜地を下って芝刈作業を行う際に、機体の全車輪が駆動される方式（以下「全車輪駆動方式」という）と前輪のみが駆動される方式（以下「前輪駆動方式」という）とが、後輪の接地圧が小さくなって滑りを生ずる直前の時点、及び前輪の作用する油圧力が保持圧から駆動圧に変化する時点で相互に自動的に切り替えられる全車輪油圧駆動乗用芝刈機に関するものである。
【背景技術】
【０００２】
１個の油圧ポンプによって全車輪に個別に設けられた各油圧モータを駆動する全車輪油圧駆動乗用芝刈機の構成と、その問題点について説明する。図１１は、４輪構造の全車輪油圧駆動の乗用芝刈機の従来の油圧回路Ｃ2 を示す図である。４輪構造の全車輪油圧駆動の乗用芝刈機は、２個の前輪ＷＦは、それぞれ個別の油圧モータＭＦで駆動されると共に、２つの後輪ＷＢは、それぞれ個別の油圧モータＭＢで駆動されて、全車輪がそれぞれ個別の油圧モータで駆動される。１個の油圧ポンプＡの圧力の作用する主管路Ｌ0 に対して４本のモータ管路（並列管路）Ｌ1,Ｌ2,Ｌ3,Ｌ4 が並列に接続され、主管路Ｌ0 には１個の油圧ポンプＡが全体として１つの「駆動ループ回路」を形成するようにして組み込まれ、前輪用の２個の油圧モータＭＦと後輪用の２個の油圧モータＭＢからなる計４個の各油圧モータＭＦ，ＭＢは、それぞれ各モータ管路Ｌ1,Ｌ2,Ｌ3,Ｌ4 に組み込まれている。
【０００３】
このため、平地において直前進又は直後進する場合には、例えば前輪及び後輪が同径で、しかも油圧モータの容量が同一であると、全車輪の周速度が同一となる必要があるので、油圧ポンプＡから供給される圧油の流量Ｑは、各モータ管路Ｌ1,Ｌ2,Ｌ3,Ｌ4 に（Ｑ／４）に等分して分配されて計４個の各油圧モータＭＦ，ＭＢを同一回転数で回転させる。この結果、乗用芝刈機は、直前進又は直後進する。一方、平地において前進又は後進の状態で旋回する場合には、内側の車輪は外側の車輪よりも周速度を小さくする必要があると共に、円旋回以外の旋回では同一側の前後の各車輪の周速度を微妙に異ならしめる必要があって、計４個の各油圧モータＭＦ，ＭＢは、乗用芝刈機をスムーズに旋回するのに必要な回転数を自ら選択するため、油圧ポンプＡから供給される圧油の流量は、各モータ管路Ｌ1,Ｌ2,Ｌ3,Ｌ4 に非等分に分配される。このため、１個の油圧ポンプＡにより４個の各油圧モータＭＦ，ＭＢを全て駆動する形式の油圧回路を備えた全車輪油圧駆動の乗用芝刈機は、芝面での旋回時において全車輪を常に必要回転数だけ回転させられて、特定の車輪が過回転、或いは不足回転することがないので、常に旋回がスムーズとなって、車輪により芝生が損傷されない利点がある。
【０００４】
しかし、山部と谷部を有する芝面において、傾斜地を下って芝刈作業を行う場合においては、図１３及び図１４に示されるように、平地走行時に比較して２個の前輪ＷＦの接地圧（Ｐ11）が大きくなると共に、２個の後輪ＷＢの接地圧（Ｐ12）が小さくなり、勾配が大きくなる程、前輪ＷＦの接地圧（Ｐ11）と後輪ＷＢの接地圧（Ｐ12）との差が大きくなるため、以下に述べる問題が発生していた。なお、図１４（イ），（ロ）は、それぞれ傾斜地の勾配に対する機体の前輪及び後輪の接地圧と保持圧の関係を示すグラフであって、同図の「保持圧」とは、傾斜地において機体が停止又は油圧ポンプの吐出量が零で下っている状態である。即ち、接地圧（Ｐ11）の大きな前輪ＷＦの各油圧モータＭＦは、傾斜地の勾配が限界を超えて大きくなると、前輪ＷＦにより駆動回転されるため、本来の油圧モータとしての機能のみならず、油圧ポンプとしての機能も有するに至ると共に、接地圧の小さな後輪ＷＢの各油圧モータＭＢは、供給される圧油によってのみ回転する油圧モータとして機能しているために、前輪ＷＦの各油圧モータＭＦの吐出側の圧力（Ｐ1)と流入側の圧力（Ｐ2)の関係は逆転して、後者が前者よりも大きくなる。このような関係を有する油圧ポンプＡの流入側の圧力（Ｐ2)は、自重（重力作用）により機体が急勾配の傾斜地を下ろうとするのを阻止して現状を保持させる油圧力であるため、「保持圧」と称されている。即ち、吐出側の圧力（Ｐ1)よりも大きくなった流入側の圧力（Ｐ2)は、前輪ＷＦ及び後輪ＷＢの双方の油圧モータＭＦ，ＭＢを逆回転させるように作用する。このため、後輪ＭＢの接地圧が小さくなって、芝面に対する摩擦抵抗が小さくなると、後輪ＷＢの回転数は前輪ＷＦの回転数よりも小さくなり、更に勾配が増して接地圧が小さくなると、後輪ＷＢは停止した後に、逆回転するに至る。この結果、後輪ＷＢが傾斜面に追随して回転できないために傾斜面に対して後輪が引きずられて滑る状態（以下、「ロック状態」という）となって、機体が後輪操舵の場合には、ハンドル操作が不能となって機体が暴走し、本来の経路の芝刈作業が行えなくなると共に、後輪の滑りにより芝生を大きく損傷させてしまう問題が発生していた。
【０００５】
上記した問題点を解消するために、切替バルブを使用して、全車輪を駆動する「全車輪駆動方式」と前輪のみを駆動する「前輪駆動方式」とを手動により切り替える切替バルブＶ10を組み込んだ油圧回路（Ｃ3)が採用されている。図１２（イ),（ロ）は、それぞれ４輪構造の全車輪油圧駆動の乗用芝刈機の「全車輪駆動方式」及び「前輪駆動方式」における油圧回路Ｃ3 を示す図である。駆動方式を切り替える切替バルブＶ10は、図１１に示される従来の油圧回路（Ｃ1)において、前輪ＷＦ用の各油圧モータＭＦが組み込まれた各モータ管路Ｌ1,Ｌ2 と、後輪ＷＢ用の各油圧モータＭＢが組み込まれた各モータ管路Ｌ3,Ｌ4 とを分断する位置に組み込まれている。
【０００６】
このため、図１２（イ）に示される「前輪駆動方式」の場合には、上記油圧回路と同様となって、平地において直前進又は直後進する場合である。一方、急勾配の傾斜地を下って芝刈作業を行う場合には、図１２（ロ）に示される回路となるように運転者が手動により切替バルブＶ10を切り替える。これにより、１つの「駆動ループ回路」を形成していた主管路Ｌ0 は、前輪ＷＦ用の各油圧モータＭＦが組み込まれた各モータ管路Ｌ1,Ｌ2 を含む前輪側の「駆動ループ回路」と、後輪ＷＢ用の各油圧モータＭＢが組み込まれた各モータ管路Ｌ3,Ｌ4 を含む後輪側の「アイドルループ回路」との２つの「ループ回路」に分割される。この結果、油圧ポンプＡの圧油は、前輪ＷＦ用の各油圧モータＭＦのみに供給されると共に、後輪側の「アイドルループ回路」は、油圧ポンプＡの圧油が供給されないで、後輪ＷＢの従動回転によって内部の低圧油が「アイドルループ回路」内において循環する状態となる。即ち、各前輪ＷＦのみが駆動回転されて、各後輪ＷＢは、従動回転される「前輪駆動方式」に切り替えられる。
【０００７】
このため、各後輪ＷＢが「ロック状態」となって操舵不能となる問題点は解消されるが、切替バルブＶ10の操作は、作業者の判断により行うので、切替操作が遅れて「前輪駆動方式」で急勾配の傾斜地を下がってしまった場合には、後輪ＷＢが「ロック状態」となる上記問題点が発生する。一方、切替操作が早まった場合には、機体の速度が増速された「前輪駆動方式」による刈切長が長くなって、見栄えの悪い部分（回転刃の回転数が一定のままで機体が増速すると、増速前に比較して芝生が荒く刈り取られる）の長さが長くなる問題が発生する。このように、切替バルブＶ10の操作のタイミングが非常に難しく、しかも下り勾配の傾斜地に達した都度、切替操作を行う必要があって、極めて面倒であるという問題があった。
【０００８】
また、手動による切替バルブＶ10を備えた上記油圧回路Ｃ3 において、芝刈機が下り勾配の傾斜地に達して「保持圧」が発生したことを検出して、この検出信号により前記切替バルブＶ10を自動開閉するように改良した油圧回路も採用されている。改良に係る前記油圧回路は、回路内における「保持圧」の発生信号により切替バルブＶ10を作動させて、「全車輪駆動方式」と「前輪駆動方式」とを自動的に切り替えるものである。
【０００９】
しかし、上記した改良に係る油圧回路では、回路内における「保持圧」の発生を駆動方式の切替基準としているため、後輪に滑りが発生しない下り勾配においても「前輪駆動方式」に切り替えられるために、機体の走行速度が増速する「前輪駆動方式」での刈取長が長くなって、刈面の見栄えが悪い部分の面積が大きくなると共に、「全車輪駆動方式」と「前輪駆動方式」とが相互に頻繁に切り替えられ、その結果、機体の速度が頻繁に増速又は減速されて、機体に作用する小さな衝撃力により機体が「ガクガク」した状態で走行する問題があった。この問題は、機体の前進時のみならず、後進時においても同様に発生する。このように、「保持圧」の発生により駆動方式を切り替える本油圧回路は、駆動方式の切替の基準を作業者により変更できないのが致命的な問題であった。なお、本発明に関連する先行特許文献は存在しない。
【発明の開示】
【発明が解決しようとする課題】
【００１０】
本発明は、１個の油圧ポンプにより全車輪に個別に設けられた各油圧モータを駆動する形式の乗用芝刈機において、傾斜地を下って芝刈作業を行う際に、後輪の接地圧が小さくなって後輪に滑りが発生する直前の時点、及び前輪に作用する油圧力が保持圧から駆動圧に変化する時点を基準にして、「全車輪駆動方式」と「前輪駆動方式」とを相互に切替えることにより、傾斜地を下って芝刈作業を行う場合に発生する前輪駆動方式による刈取長を可能な限り短くして刈取状態を良好にし、しかも駆動方式の切替回数を少なくすると共に、切替え時において機体に作用する衝撃力を緩和して、傾斜地を下って行う芝刈作業をスムーズに行えるようにすることを課題としている。
【課題を解決するための手段】
【００１１】
上記課題を解決するための請求項１の発明は、主管路に対して車輪数と同数のモータ管路が並列に接続され、各モータ管路には、前輪用と後輪用の各油圧モータが前記主管路において圧油が流れる方向に沿って二分された形態でそれぞれ組み込まれて、前記主管路における１つの駆動ループ回路が形成可能な位置に組み込まれた一個の油圧ポンプにより、各車輪に設けられた各油圧モータをそれぞれ個別に駆動する形式の全車輪油圧駆動乗用芝刈機であって、前記主管路における車両後進時に油圧ポンプから吐出された圧油が流れる部分であって、しかも前輪用と後輪用の各モータ管路を二分する位置に組み込まれて、後輪側から前輪側に向けての圧油の流れのみを許容するチェックバルブと、前記主管路における油圧ポンプから吐出された圧油が流れる方向に沿って前輪用及び後輪用の各モータ管路を二分し、しかも前記チェックバルブよりも後輪側の位置に、各モータ管路と並列に接続した切替バルブ管路に組み込まれて、前記チェックバルブを挟んでその両側の部分から取り出された各パイロット圧により開閉する自動切替バルブと、前記主管路における前記チェックバルブを基準にして後輪側の部分に前記各モータ管路及び切替バルブ管路に対して並列に接続したリリーフバルブ管路に組み込まれるリリーフバルブとを備えていることを特徴としている。
【００１２】
請求項１の発明によれば、傾斜地を下って芝刈作業を行う際に、チェックバルブにより前輪の保持圧と遮断された後輪の保持圧と、低下した後輪の接地圧との相乗作用により当該後輪が滑りを開始する直前の保持圧によりリリーフバルブが開かれて、当該後輪の保持圧が開放されると共に、当該開放直後において自動切替バルブに作用する前輪側及び後輪側の各パイロット圧の差の増大により当該自動切替バルブが開かれることにより、後輪側の各モータ回路、切替バルブ回路、及び後輪側の主管路において低圧油の「アイドルループ回路」が形成されて、全車輪駆動方式から前輪駆動方式に自動的に切り替えられる。このように、リリーフバルブが開放するように作動する圧力差は、後輪に滑りが発生する直前の保持圧（正確には、当該保持圧と油圧ポンプから吐出された圧油の圧力との差）に設定してあるので、傾斜地の下り勾配が増すことにより後輪の滑りが発生する直前において、後輪側には、前輪の保持圧がチェックバルブにより遮断された状態で、低圧油による「アイドルループ回路」が形成されるため、後輪は従動回転されて滑りの発生がなくなる。一方、後輪側に「アイドルループ回路」が形成されている状態において、前輪に作用する油圧力が保持圧から駆動圧に変化すると、上記と逆の順序に油圧回路における圧油の流れが変化して、前輪駆動方式から全車輪駆動方式に自動的に切り替えられる。
【００１３】
このため、全車輪駆動方式に対して機体が増速する前輪駆動方式による刈取作業は、下り傾斜地の勾配が大きくて後輪に滑りが発生する部分のみであるため（即ち、下り傾斜地における前輪駆動方式が必要不可欠な勾配の大きな部分においてのみであるため）、前輪駆動方式による刈取長は短くなって、下り勾配の傾斜地における刈取状態が良好となる。また、自動切替バルブが開いて、後輪側に「アイドルループ回路」が形成されるのは、リリーフバルブが開いた後において、自動切替バルブに作用する前輪側及び後輪側の各パイロット圧の差が一定圧以上に増大した後であって、リリーフバルブが作動してから自動切替バルブが作動するまでの間は、後輪の駆動力が所定の時間を有して低下して全車輪駆動方式から前輪駆動方式に切り替えられるので、駆動方式の切替え時における芝生の損傷を最小限に抑えることができると共に、駆動方式の切替え時において機体に作用する衝撃力は殆どなく、駆動方式の切替えがスムーズに行われるため、運転操作が楽となる。
【００１４】
また、請求項２の発明では、傾斜地を後進で上ったり、或いは下ったり、更には平地で後進したりする場合のように、後進で芝刈作業を行う場合には、チェックバルブの作用によって、油圧ポンプから吐出された圧油は、後輪用の油圧モータには及ばない構成であるので、傾斜地の勾配の変化とは無関係に常に前輪駆動方式であって、走行中の駆動方式の切替えによる芝刈状態の変化がなくなる利点がある。
【００１５】
また、請求項３の発明は、請求項１又は２の発明において、前記主管路における車両前進時に油圧ポンプから吐出された圧油が流れる部分であって、しかも前輪用と後輪用の各モータ管路を二分する位置に組み込まれる第１手動切替バルブと、前記主管路における前記チェックバルブを基準にして後輪側の部分の圧力をパイロット圧として前記自動切替バルブに対する伝達及びその遮断を行う第２手動切替バルブとを備えていることを特徴としている。
【００１６】
請求項３の発明によれば、非芝刈作業時には、第１及び第２の各手動切替バルブをいずれも閉じることにより、前輪側及び後輪側の各主管路は、第１手動切替バルブとチェックバルブとにより遮断されると共に、チェックバルブを挟んで後輪側の主管路の圧力が自動切替バルブに対してパイロット圧として作用しないために、前輪側において「駆動ループ回路」が形成されると共に、後輪側において「アイドルループ回路」が形成されて前輪駆動方式となり、機体の走行速度が速くなる。一方、芝刈作業時には、第１及び第２の各手動切替バルブをいずれも開いて、当該第１及び第２の各手動切替バルブが組み込まれていない状態にすると、上記した理由によって、下り勾配の傾斜地において勾配に応じて全車輪駆動方式と前輪駆動方式とが自動的に切り替えられる。
【００１７】
請求項４の発明は、請求項３の発明において、前記第１手動切替バルブは、開通路とチェックバルブとのいずれかが選択される構成であることを特徴としており、前記第１手動切替バルブは、チェックバルブを作用状態にすることにより主管路が閉じられるため、主管路を閉じた場合において第１手動切替バルブの部分からの油漏れが少なくなる利点がある。
【発明の効果】
【００１８】
本発明によれば、１個の油圧ポンプにより全車輪に個別に設けられた各油圧モータを駆動する形式の乗用芝刈機において、傾斜地を下って芝刈作業を行う際に、下り勾配の変化に応じて、後輪の接地圧が小さくなって後輪に滑りが発生する直前の時点、及び後輪の接地圧の増大により前記滑りの発生がなくなった時点を基準にして、「全車輪駆動方式」と「前輪駆動方式」とが相互に自動的に切替えられるので、下り勾配の傾斜地における芝刈作業中に発生する前輪駆動方式による刈取長を可能な限り短くして刈取状態を良好にすることができ、しかも駆動方式の切替回数を少なくすると共に、切替え時において機体に作用する衝撃力を緩和して、上り下りの傾斜地における刈取作業をスムーズに行える。
【発明を実施するための最良の形態】
【００１９】
以下、最良の実施形態を挙げて、本発明を更に詳細に説明する。図１は、本発明に係る駆動方式自動切替機能を有する全車輪油圧駆動乗用芝刈機の油圧回路図である。最初に、従来の油圧回路Ｃ2 ，Ｃ3 との関係において本発明に係る油圧回路Ｃ1 の構成について説明し、その後に、平地又は傾斜地と機体の前進又は後進との組み合わせに関する芝刈機の種々の刈取状態における駆動方式について逐一説明する。なお、油圧回路Ｃ1 の説明に関して、従来の油圧回路Ｃ2 ，Ｃ3 と同一部分には、同一符号を使用する。
【００２０】
本発明に係る油圧回路Ｃ1 は、従来の油圧回路Ｃ2 ，Ｃ3 と同様に、１個の油圧ポンプＡの圧力の作用する主管路Ｌ0 に対して４本のモータ管路Ｌ1,Ｌ2,Ｌ3,Ｌ4 が並列に接続され、主管路Ｌ0 には１個の可逆性の油圧ポンプＡが全体として１つの「駆動ループ回路」を形成するようにして組み込まれ、前輪用の２個の油圧モータＭＦと後輪用の２個の油圧モータＭＢからなる計４個の各油圧モータＭＦ，ＭＢは、それぞれ各モータ管路Ｌ1,Ｌ2,Ｌ3,Ｌ4 に組み込まれている。ループを形成する主管路Ｌ0 は、機体の前進時に油圧ポンプＡから吐出されて各油圧モータＭＦ，ＭＢの流入口に圧油を流す第１主管路Ｌ01と、各油圧モータＭＦ，ＭＢの流出口から流出された圧油を油圧ポンプＡの流入口に流す第２主管路Ｌ02とから成る。
【００２１】
第２主管路Ｌ02における前輪用の２つの各モータ管路Ｌ1,Ｌ2 と後輪用の２つの各モータ管路Ｌ3,Ｌ4 を当該第２主管路Ｌ02を圧油が流れる方向に沿って二分する位置には、機体の前進時を基準にして後輪側の油圧モータＭＢから流出された圧油が前輪側の油圧ポンプＡの側に向けての流れは許容するが、その逆の流れを阻止するチェックバルブＶ1 が組み込まれている。当該チェックバルブＶ1 は、傾斜地の下り勾配が大きくなった場合に、前輪側の各モータ管路Ｌ1,Ｌ2 に形成される「駆動ループ回路」とは別の「アイドルループ回路」を後輪側の各モータ管路Ｌ3,Ｌ4 に形成可能にするためのバルブである。また、ループを形成している主管路Ｌ0 における油圧ポンプＡから吐出された圧油の流れる方向に沿って前輪用及び後輪用の各モータ管路Ｌ1,Ｌ2,Ｌ3,Ｌ4 を二分する部分であって、しかも機体の前進時において油圧ポンプＡに向けて圧油が流れる第２主管路Ｌ02の前記チェックバルブＶ1 及び後述の第１手動切替バルブＶ4 よりも下流側の部分には、前記各モータ管路Ｌ1,Ｌ2,Ｌ3,Ｌ4 と並列に切替バルブ管路Ｌ5 が接続されて、当該切替バルブ管路Ｌ5 には、当該切替バルブ管路Ｌ5 を開閉する自動切替バルブＶ2 が組み込まれている。自動切替バルブＶ2 は、チェックバルブＶ1 で分断された第２主管路Ｌ02の当該チェックバルブＶ1 の両側の部分の各圧力Ｐ3 ，Ｐ4 をパイロット圧として作用させて、自身に備えた復帰スプリングＳの復帰圧力Ｐｓと前記各圧力Ｐ3 ，Ｐ4 との関係によって、開通路１と閉通路２のいずれかを選択するバルブである。
【００２２】
また、主管路Ｌ0 における前記チェックバルブＶ1 よりも後輪側の部分には、各モータ管路Ｌ1,Ｌ2,Ｌ3,Ｌ4 及び切替バルブ管路Ｌ5 に対して並列となってリリーフバルブ管路Ｌ6 が接続され、当該リリーフバルブ管路Ｌ6 にリリーフバルブＶ3 が組み込まれている。リリーフバルブＶ3 は、下り傾斜地において勾配が大きくなって後輪ＷＢの保持圧が大きくなった場合に、第２主管路Ｌ02におけるチェックバルブＶ1 よりも後輪側の部分の圧力（保持圧）Ｐ3 と、第１主管路Ｌ01における後述の第１手動切替バルブＶ4 よりも後輪側の部分の圧力Ｐ2 との圧力差が設定値を超えた場合に開く定差式のリリーフバルブであって、当該バルブＶ3 が開く場合の前記圧力差を調整する調整スプリング３を備えている。
【００２３】
また、本発明に係る油圧回路Ｃ1 には、「全車輪駆動方式」と「前輪駆動方式」とを手動により切り替えるための第１及び第２の各手動切替バルブＶ4 ，Ｖ5 が組み込まれている。第１手動切替バルブＶ4 は、第１主管路Ｌ01に組み込まれていて、機体の前進時において油圧ポンプＡから吐出された圧油が後輪側に流れるのを阻止するチェックバルブ４と、同様の圧油が後輪側に流れるのを許容する開通路５とを備えていて、電磁力によりいずれか一方が選択される。また、第２手動切替バルブＶ5 は、「前輪駆動方式」の状態において、「アイドルループ回路」を形成している第２主管路Ｌ02のチェックバルブＶ1 よりも後輪側の部分の圧力Ｐ3 がパイロット圧として前記自動切替バルブＶ2 に作用するのを阻止すると共に、「全車輪駆動方式」の状態において、前記パイロット圧が自動切替バルブＶ2 に作用するように切り替えるためのバルブであって、タンク６に通じるドレン通路７と開通路８とを備えていて、電磁力によりいずれか一方が選択される。なお、図１においてＰ1 は、第１主管路Ｌ01における第１手動切替バルブＶ4 よりも前輪側の部分の圧力を示す。第１及び第２の各手動切替バルブＶ4 ，Ｖ5 については、前者のチェックバルブ４と後者のドレン通路７とが同時に「作用状態」になると共に、前者の開通路５と後者の開通路８とが同時に「作用状態」となる。更に、第１手動切替バルブＶ4 を構成するチェックバルブ４は、第１主管路Ｌ01を遮断する作用を果たすものであり、管路遮断時において油漏れが少ない利点があるが、一般の遮断弁（閉通路）で構成することも可能である。
【００２４】
次に、図２ないし図１０を参照にして、平地又は傾斜地と機体の前進又は後進との組み合わせに関する芝刈機の種々の走行状態で芝刈作業を行う場合における駆動方式について逐一説明する。なお、図２ないし図１０において、油圧回路Ｃ1 の管路の各部分の圧力の大きさは、線の太さにより表示（区別）してあるが、この線の太さは、同一の図面における相対的な大きさの差を表示しているのみであって、他の図面との関係においては圧力の大きさの差は考慮しておらず、また前輪ＷＦ及び後輪ＷＢは図示していない。
【００２５】
〔前輪２輪駆動で平地を前進〕
図２は、平地において芝刈作業を行うことなく、前輪２輪駆動で前進走行する場合の油圧回路図である。この平地走行の場合には、第１手動切替バルブＶ4 のチェックバルブ４を「作用状態」にすると共に、第２手動切替バルブＶ5 のドレン通路７を「作用状態」にして、油圧ポンプＡを駆動させる。この場合は、油圧ポンプＡから吐出された圧油は、第１主管路Ｌ01において第１手動切替バルブＶ4 のチェックバルブ４で遮断されて、後輪用の各油圧モータＭＢの側には流れないと共に、前輪用の各油圧モータＭＦから流出された圧油は、第２主管路Ｌ02においてチェックバルブＶ1 により遮断されて、後輪側の各油圧モータＭＢの側には流れない。また、第２手動切替バルブＶ5 は、ドレン通路７が「作用状態」となっていて、第２主管路Ｌ02におけるチェックバルブＶ1 よりも前輪側の圧力Ｐ4 は、自動切替バルブＶ2 に対してパイロット圧として作用しているが、第２主管路Ｌ02におけるチェックバルブＶ1 よりも後輪側の圧力Ｐ3 は、自動切替バルブＶ2 に対してパイロット圧として作用していない。このため、（Ｐ3 ＞Ｐｓ）の関係が成立するため、自動切替バルブＶ2 は開通路１が「作用状態」となる。なお、第２主管路Ｌ02のチェックバルブＶ1 の部分においては、後輪側の圧力Ｐ3 は前輪側の圧力Ｐ4 よりも小さいので、チェックバルブＶ1 の部分では後輪側から前輪側には低圧油は流れない。
【００２６】
この結果、前輪用の各油圧モータＭＦが組み込まれた各モータ管路Ｌ1 ，Ｌ2 と、圧力Ｐ1 ，Ｐ4 を発生する前輪側の主管路Ｌ0 との間において、各油圧モータＭＦにより各前輪ＷＦが駆動される「駆動ループ回路」が形成されると共に、後輪用の各油圧モータＭＢが組み込まれた各モータ管路Ｌ3 ，Ｌ4 及び切替バルブ管路Ｌ5 と、圧力Ｐ2 ，Ｐ3 を発生する後輪側の主管路Ｌ0 との間において、従動回転する各後輪ＷＢにより管路内の低圧油が循環させられる「アイドルループ回路」が形成されて、平地において前輪ＷＦの２輪により機体が駆動されて前進走行する。なお、「アイドルループ回路」における後輪側の各油路モータＭＢの流入側及び流出側の各圧力Ｐ2 ，Ｐ3 は等しく、当該各圧力Ｐ2 ，Ｐ3 と、油圧ポンプＡの吐出側、及び流入側の各圧油の圧力Ｐ1 ，Ｐ4 とは、（Ｐ1 ＞Ｐ4 ＞Ｐ2 ＝Ｐ3 ）の関係にある。
【００２７】
このように、芝刈作業を行うことなく、前輪２輪駆動で平地で前進する場合には、前輪側の主管路Ｌ0 にのみ「駆動ループ回路」が形成されて、後輪側の主管路Ｌ0 には「アイドルループ回路」が形成されるために、油圧ポンプＡの回転数が同一の場合には、後述の４輪駆動に比較して、増速されるため、ゴルフ場等の芝生の部分まで走行する場合に、高速で移動できる。
【００２８】
〔前輪２輪駆動で緩傾斜地を前進下り〕
図３は、芝刈作業を行うことなく、前輪２輪駆動で勾配αの緩傾斜地を前進で下る場合の油圧回路図である。勾配αの緩傾斜地において、前輪２輪駆動で前進して下る場合は、平地で前進走行する場合に比較して、前輪ＷＦの接地圧Ｐ11が平地よりも大きくなるために、油圧ポンプＡの流入側の圧力Ｐ4'が、平地における圧力Ｐ4 よりも僅かに大きい（Ｐ1 ＞Ｐ4'＞Ｐ4 ）点が異なるのみで、他は全て平地の場合と同様である。
【００２９】
〔前輪２輪駆動で平地を後進〕
図４は、芝刈作業を行うことなく、前輪２輪駆動で平地を後進走行する場合の油圧回路図である。この後進走行においては、油圧ポンプＡが逆回転するために、平地で前進走行する場合に比較して、「駆動ループ回路」内の圧油、及び「アイドルループ回路」内の低圧油がいずれもが逆方向に循環する点、及び「駆動ループ回路」において第２主管路Ｌ02内の圧油の圧力Ｐ4 が第１主管路Ｌ01内の圧油の圧力Ｐ1 よりも高い（Ｐ4 ＞Ｐ1 ＞Ｐ2 ＝Ｐ3 ）点の２点が異なるのみである。
【００３０】
〔前輪２輪駆動で緩傾斜地を後進下り〕
図５は、芝刈作業を行うことなく、前輪２輪駆動で勾配αの緩傾斜地を後進で下る場合の油圧回路図である。勾配αの緩傾斜地において、前輪２輪駆動により後進して走行する場合は、油圧ポンプＡが逆回転するために、同様の緩傾斜地で前進して走行する場合に比較して、「駆動ループ回路」内の圧油、及び「アイドルループ回路」内の低圧油がいずれもが逆方向に循環する点、及び「駆動ループ回路」において第２主管路Ｌ02内の圧油の圧力Ｐ4 が第１主管路Ｌ01内の圧油の圧力Ｐ1'よりも高い（Ｐ4 ＞Ｐ1'＞Ｐ2 ＝Ｐ3 ）点の２点が異なるのみである。なお、前輪２輪駆動で緩傾斜地を下る場合は、平地で後進する場合に比較して前輪ＷＦの接地圧が小さくなるので、「駆動ループ回路」の第１主管路Ｌ01内の圧油の圧力Ｐ1'は、平地を後進する場合における第１主管路Ｌ01内の圧油の圧力Ｐ1 よりも僅かに低い（Ｐ1'＜Ｐ1 ）。
【００３１】
〔４輪駆動で平地を前進〕
図６は、４輪駆動で平地を前進して芝刈作業を行う場合の油圧回路図である。芝刈作業を行う場合には、第１手動切替バルブＶ4 の開通路５を「作用状態」にすると共に、第２手動切替バルブＶ5 の開通路８を「作用状態」にして、油圧ポンプＡを駆動させる。この場合は、油圧ポンプＡから吐出された圧油は、第１主管路Ｌ01において第１手動切替バルブＶ4 の開通路５を通過して、後輪用の各油圧モータＭＢの側に流れると共に、後輪用の各油圧モータＭＢから流出された圧油は、第２主管路Ｌ02においてチェックバルブＶ1 を通過して油圧ポンプＡの側に流れる。また、第２手動切替バルブＶ5 は、開通路８が「作用状態」となっていて、第２主管路Ｌ02におけるチェックバルブＶ1 を挟んで両側の各圧力Ｐ3 ，Ｐ4 は等しくて、自動切替バルブＶ2 に対してパイロット圧として作用している。そして、第１主管路Ｌ01の各圧力Ｐ1 ，Ｐ2 、第２主管路Ｌ02の各圧力Ｐ3 ，Ｐ4 及び自動切替バルブＶ2 の復帰スプリングＳの圧力Ｐｓとの間には、（Ｐ1 ＝Ｐ2 ＞Ｐ3 ＝Ｐ4 ）、（Ｐ4 ＜Ｐ3 ＋Ｐｓ）の各関係が成立しているため、自動切替バルブＶ2 は閉通路２が「作用状態」となって、当該自動切替バルブＶ2 が閉じられる。
【００３２】
このように、自動切替バルブＶ2 が閉じられると共に、第２主管路Ｌ02におけるチェックバルブＶ1 を挟んだ両側の部分の各圧力Ｐ3 ，Ｐ4 は等しくて、当該チェックバルブＶ1 は、後輪側から前輪側に向けての圧油の流れのみを許容するため、油圧ポンプＡから吐出された圧油は、第１手動切替バルブＶ4 の前において各モータ管路Ｌ1 ，Ｌ2 を流れて前輪用の各油圧モータＭＦを駆動させると共に、第１手動切替バルブＶ4 を通過して各モータ管路Ｌ3 ，Ｌ4 を流れて後輪用の各油圧モータＭＢを駆動させ、後輪用の各油圧モータＭＢから流出した圧油は、チェックバルブＶ1 を通過して油圧ポンプＡに戻される。このため、全体として一つの「駆動ループ回路」が形成されて、４輪駆動となる。４輪駆動であるため、油圧ポンプＡの回転数が同一の場合には、前輪２輪駆動に比較して、機体は減速されて、機体は芝刈作業に適した低速度で走行する。
【００３３】
〔４輪駆動で緩傾斜地を前進下り〕
図７は、４輪駆動で勾配αの緩傾斜地を前進で下って芝刈作業を行う場合の油圧回路図である。勾配αの緩傾斜地において、４輪駆動で前進して芝刈作業を行う場合は、平地で前進して芝刈作業を行う場合に比較して、前輪ＷＦの接地圧Ｐ11が平地よりも大きくなるために、第２主管路Ｌ02の圧力Ｐ3', Ｐ4'が、平地における圧力Ｐ4 よりも僅かに大きい（Ｐ1 ＞Ｐ3'＝Ｐ4'＞Ｐ3 ＝Ｐ4 ）点が異なるのみで、他は全て平地で芝刈作業を行う場合と同様である。なお、勾配αの緩傾斜地においては平地の場合と同様に、油圧ポンプＡの吐出側の圧力Ｐ1 は流入側の圧力Ｐ4'よりも大きい状態を維持していて、油圧回路内には「保持圧」は発生していない。
【００３４】
〔４輪駆動で急傾斜地を前進下り〕
図８−Ａは、４輪駆動で勾配βの急傾斜地を前進で下って芝刈作業を行う場合において４輪駆動が維持されている状態の油圧回路図である。勾配αの緩傾斜地から勾配αよりも大きな勾配βの急傾斜地に移行して、４輪駆動で前進して急傾斜地を下って芝刈作業を行う場合は、前輪ＷＦの接地圧Ｐ11と後輪ＷＢの接地圧Ｐ12との差が大きくなると共に、自重（重力作用）により急傾斜面を下ろうとする作用が増大するために、油圧ポンプＡの吐出側の圧力Ｐ1 と流入側の圧力Ｐ4 との関係が逆転して、流入側の圧力Ｐ4 が吐出側の圧力Ｐ1 よりも大きくなって、油圧回路内に「保持圧」が発生する。この「保持圧」が発生しても、第２主管路Ｌ02のチェックバルブＶ1 を挟んで両側の部分の各圧力Ｐ3 ，Ｐ4 が等しい関係は、「保持圧」の発生前と同様であるので、当該「保持圧」が小さい間は、チェックバルブＶ1 の部分を後輪側から前輪側に向けて「保持圧」の発生原因となっている高圧油が流れ続ける。
【００３５】
そして、急傾斜地の勾配が更に大きくなって勾配γ（α＜β＜γ）に至ると、「保持圧」が更に大きくなって、チェックバルブＶ1 に作用している第２主管路Ｌ02の圧力Ｐ4 は更に大きくなり、リリーフバルブＶ3 に作用している第２主管路Ｌ02の圧力Ｐ3 と第１主管路Ｌ01の圧力Ｐ2 との差圧〔Ｐ3 −Ｐ2 （＝Ｐ1 ）〕が、当該リリーフバルブＶ3 が作動を開始する設定圧Ｐ10に達すると、当該リリーフバルブＶ3 が開かれる。図８−Ｂ及び図８−Ｃは、それぞれ４輪駆動で勾配γの急傾斜地を前進で下って芝刈作業を行う場合において４輪駆動から前輪２輪駆動に切り替えられる前後の各油圧回路図である。ここで、リリーフバルブＶ3 が作動を開始する「設定圧Ｐ10」は、急傾斜地の勾配が大きくなることにより、後輪ＷＢの接地圧Ｐ12が小さくなって、当該後輪ＷＢに「滑り」が発生する直前の第２主管路Ｌ02の圧力Ｐ3 （保持圧として後輪ＷＢに作用する油圧力）と第１主管路Ｌ01の圧力Ｐ2 との差圧である。個々の乗用芝刈機において、予め後輪が「滑り」を開始する時点の傾斜地の勾配は、機体の重量、機体の重心位置、芝面に対する後輪の摩擦抵抗等の既知データにより予め判明しているので、前記「設定圧」は、個々の芝刈機に対応して設定可能であって、この「設定圧」は、リリーフバルブＶ3 の調整スプリング３により調整可能である。
【００３６】
そして、リリーフバルブＶ3 が開いてリリーフバルブ管路Ｌ6 に第２主管路Ｌ02から第１主管路Ｌ01の側に向けて圧油が流れると、後輪側の第１主管路Ｌ01と第２主管路Ｌ02とが連通すると共に、チェックバルブＶ1 によって、前輪側の第２主管路Ｌ02の圧力Ｐ4 は高圧に保持されたままとなるので、「保持圧」を発生させていた後輪側の第２主管路Ｌ02の高圧の圧力Ｐ3 は、急激に低下して、後輪側の第１主管路Ｌ01の圧力Ｐ2 （当該圧力Ｐ2 は、前輪側の第１主管路Ｌ01の圧力Ｐ1 と等しい）と同等となる。このようにして、後輪側の第２主管路Ｌ02の圧力Ｐ3 が低下すると、自動切替バルブＶ2 にパイロット圧として作用するチェックバルブＶ1 を挟んで両側の第２主管路Ｌ02の各圧力Ｐ3 ，Ｐ4 の差が大きくなって、（Ｐ4 ＞Ｐ3 ＋Ｐｓ）の関係が成立するに至ると、自動切替バルブＶ2 の開通路１が「作用状態」となって、当該自動切替バルブＶ2 が開いて、「アイドルループ」が形成される〔図８−Ｃ参照〕。
【００３７】
これにより、（Ｐ4 ＞Ｐ1 ＝Ｐ2 ＝Ｐ3 ）の関係が成立して、図 8−Ｃに示されるように、前輪側の「駆動ループ回路」と後輪側の「アイドルループ回路」とが独立して形成され、傾斜地の勾配γが小さくなることによる後輪ＷＢの接地圧の増大により「滑り」の発生の恐れがなくなる時点〔図１４（ロ）参照〕まで、「駆動ループ回路」と「アイドルループ回路」とが併存して、「前輪２輪駆動」が維持される。一方、「前輪２輪駆動」の状態において、傾斜地の勾配が小さくなって前輪ＷＦに作用する油圧力が保持圧から駆動圧に変化すると、〔Ｐ4 ＜Ｐｓ＋Ｐ3 （＝Ｐ2 ＝Ｐ1 ）〕の関係が成立して、自動切替バルブＶ2 が閉じられる。これにより、チェックバルブＶ1 において後輪側から前輪側への圧油の流れが発生して、「４輪駆動」に戻る。
【００３８】
このように、「４輪駆動」の状態で、後輪の「滑り」を発生させる大きな勾配を有する傾斜地を前進で下って芝刈作業を行う場合には、後輪に「滑り」が発生する直前において「４輪駆動」から「前輪２輪駆動」に自動的に切り替えられて、後輪側に「アイドルループ回路」が形成されるため、後輪ＷＢは、急傾斜地を滑ることなく、小さくなった接地圧Ｐ12によって従動回転されて、「アイドルループ回路」内の低圧油を循環させると共に、「前輪２輪駆動」の状態において傾斜地の勾配が小さくなって、前輪ＷＦに作用する油圧力が保持力から駆動力に変化すると、自動的に「４輪駆動」に戻される。後輪側に「アイドルループ」が形成された状態においては、後輪ＷＦは、「滑り」を生ずることなく、接地圧Ｐ12により従動回転されるために操舵可能である。このため、後輪の「滑り」を発生させる大きな勾配を有する傾斜地を前進で下って芝刈作業を行う場合において、後輪に「滑り」を発生させる程度の大きな勾配の部分においてのみ「前輪２輪駆動」で運転されて、「滑り」の発生の恐れがない部分は全て「４輪駆動」で運転されるので、「４輪駆動」よりも走行速度が速くなる「前輪２輪駆動」で芝刈作業が行われる部分の長さを必要最少長さにすることができて、傾斜地の芝生を綺麗に刈り取ることができる（図１５参照）。
【００３９】
また、自動切替バルブＶ2 が開いて、後輪側に「アイドルループ回路」が形成されるのは、リリーフバルブＶ3 が開いた後において、自動切替バルブＶ2 に作用する前輪側のバイロット圧Ｐ4 と後輪側のパイロット圧Ｐ3 の差が一定圧以上に増大した後であって、リリーフバルブＶ3 が作動してから自動切替バルブＶ2 が作動するまでの間は、後輪ＷＢの駆動力が短時間内において段階的に小さくなって「４輪駆動」から「前輪２輪駆動」に切り替えられ、急激に切り替えられるのではないため、駆動方式の切替え時における芝生の損傷を最小限に抑えることができる結果、傾斜地における芝生を綺麗に刈り取ることができると共に、駆動方式の切替え時において機体に作用する衝撃力は殆どなく、駆動方式の切替えがスムーズに行われるため、運転操作も楽になる。
【００４０】
〔４輪駆動で傾斜地を後進上り〕
図９は、４輪駆動で勾配αの緩傾斜地を後進で上って芝刈作業を行う場合の油圧回路図である。この場合は、油圧ポンプＡから吐出された圧油は、第２主管路Ｌ02に組み込まれたチェックバルブＶ1 によって後輪側の各油路モータＭＢが組み込まれた各モータ管路Ｌ3 ，Ｌ4 に供給されないので、必然的に前輪側に「駆動ループ回路」が形成されると共に、後輪側に「アイドルループ回路」が形成されて、結果的に「前輪２輪駆動」となる。なお、管路の各部分の圧力は、（Ｐ4 ＞Ｐ1 ＝Ｐ2 ＝Ｐ3 ）の関係となる。
【００４１】
〔４輪駆動で傾斜地を後進下り〕
図１０は、４輪駆動で勾配αの緩傾斜地を後進で下って芝刈作業を行う場合の油圧回路図である。この場合も、４輪駆動で傾斜地を後進上りする場合と同様に、結果的に「前輪２輪駆動」となる点は同じであるが、４輪駆動で傾斜地を後進上りする場合に比較して、前輪ＷＦの接地圧が小さくなる分、管路の各部分の圧力Ｐ1', Ｐ2', Ｐ3'  は、（Ｐ4 ＞Ｐ1'＝Ｐ2'＝Ｐ3', Ｐ1'＞Ｐ1 ，Ｐ2 ＞Ｐ2'，Ｐ3 ＞Ｐ3'）の関係が成立する。
【００４２】
このように、油圧回路Ｃ1 を「４輪駆動」にした状態で、機体を後進させた場合は、平地を含めて傾斜地の勾配とは無関係に「前輪２輪駆動」となって、駆動方式の切替えの発生がなくなるため、機体の走行が安定する利点がある。
【００４３】
また、請求項１の発明では、第１及び第２の手動切替バルブは不可欠ではないので、上記実施例の油圧回路Ｃ1 において第１及び第２の手動切替バルブＶ4 ，Ｖ5 を組み込まない回路は、常に「４輪駆動」となる。上記実施例の油圧回路Ｃ1 のように第１及び第２の手動切替バルブＶ4 ，Ｖ5 を組み込んだ回路では、「前輪２輪駆動」と「４輪駆動」とを手動により切り替えられるため、「前輪２輪駆動」の選択により、道路のような芝生面以外の部分を走行する場合に高速走行ができる利点がある。
【図面の簡単な説明】
【００４４】
【図１】本発明に係る駆動方式自動切替機能を有する全車輪油圧駆動乗用芝刈機の油圧回路図である。
【図２】平地において芝刈作業を行うことなく、前輪２輪駆動で前進走行する場合の油圧回路図である。
【図３】芝刈作業を行うことなく、前輪２輪駆動で勾配αの緩傾斜地を前進で下る場合の油圧回路図である。
【図４】芝刈作業を行うことなく、前輪２輪駆動で平地を後進走行する場合の油圧回路図である。
【図５】芝刈作業を行うことなく、前輪２輪駆動で勾配αの緩傾斜地を後進で下る場合の油圧回路図である。
【図６】４輪駆動で平地を前進して芝刈作業を行う場合の油圧回路図である。
【図７】４輪駆動で勾配αの緩傾斜地を前進で下って芝刈作業を行う場合の油圧回路図である。
【図８−Ａ】４輪駆動で勾配βの急傾斜地を前進で下って芝刈作業を行う場合において４輪駆動が維持されている状態の油圧回路図である。
【図８−Ｂ】４輪駆動で勾配γの急傾斜地を前進で下って芝刈作業を行う場合において前輪２輪駆動に切り替えられる直前の油圧回路図である。
【図８−Ｃ】４輪駆動で勾配γの急傾斜地を前進で下って芝刈作業を行う場合において前輪２輪駆動に切り替えられた後の油圧回路図である。
【図９】４輪駆動で勾配αの緩傾斜地を後進で上って芝刈作業を行う場合の油圧回路図である。
【図１０】４輪駆動で勾配αの緩傾斜地を後進で下って芝刈作業を行う場合の油圧回路図である。
【図１１】４輪構造の全車輪油圧駆動の乗用芝刈機の従来の油圧回路Ｃ2 を示す図である。
【図１２】（イ），（ロ）は、それぞれ４輪構造の全車輪油圧駆動の乗用芝刈機の「全車輪駆動方式」及び「前輪駆動方式」における油圧回路Ｃ3 を示す図である。
【図１３】傾斜地を前進で下って芝刈作業を行う場合の前輪ＷＦ及び後輪ＷＢの各接地圧Ｐ11，Ｐ12を示す図である。
【図１４】（イ），（ロ）は、それぞれ傾斜地の勾配に対する機体の前輪及び後輪の接地圧と保持圧の関係を示すグラフである。
【図１５】本発明に係る油圧回路Ｃ1 及び従来の油圧回路を備えた各芝刈機によって傾斜地を前進で下って芝刈作業を行う場合の「４輪駆動」と「前輪２輪駆動」との各部分を示す図である。
【符号の説明】
【００４５】
Ａ：油圧ポンプ
Ｃ1 ：油圧回路
Ｌ0 ：主管路
Ｌ01：第１主管路
Ｌ02：第２主管路
Ｌ1 〜Ｌ4 ：モータ管路
Ｌ5 ：切替バルブ管路
Ｌ6 ：リリーフバルブ管路
ＭＦ：前輪用の油圧モータ
ＭＢ：後輪用の油圧モータ
Ｐ1 ：前輪側の第１主管路の圧力
Ｐ2 ：後輪側の第１主管路の圧力
Ｐ3 ：後輪側の第２主管路の圧力
Ｐ4 ：前輪側の第２主管路の圧力
Ｖ1 ：チェックバルブ
Ｖ2 ：自動切替バルブ
Ｖ3 ：リリーフバルブ
Ｖ4 ：第１手動切替バルブ
Ｖ5 ：第２手動切替バルブ
ＷＦ：前輪
ＷＢ：後輪
【図１】
2008221861.tif 000003
【図２】
2008221861.tif 000004
【図３】
2008221861.tif 000005
【図４】
2008221861.tif 000006
【図５】
2008221861.tif 000007
【図６】
2008221861.tif 000008
【図７】
2008221861.tif 000009
【図８−Ａ】
2008221861.tif 000010
【図８−Ｂ】
2008221861.tif 000011
【図８−Ｃ】
2008221861.tif 000012
【図９】
2008221861.tif 000013
【図１０】
2008221861.tif 000014
【図１１】
2008221861.tif 000015
【図１２】
2008221861.tif 000016
【図１３】
2008221861.tif 000017
【図１４】
2008221861.tif 000018
【図１５】
2008221861.tif 000019